(57)【要約】【課題】任意の方向にある被写体を撮影することができると共に、動画像を撮影する際、音声をも確実に集音することが可能な携帯端末装置を提供する。【解決手段】第一筐体１の前面１ａに表示部６とスピーカー部７，８を有すると共に、第二筐体２の前面２ａに操作部５を有し、前記第一筐体１を第二筐体２の前面２ａに対して略平行に回動させることができる携帯電話機２５において、第二筐体２の端部に回動可能に軸支された回転体４を設け、この回転体４内にカメラ部１１とマイク部９をそれぞれ搭載し、かつ上記回転体表面４ａにカメラ部１１の撮影窓１２とマイク部９の集音口１０を同じ方向に向けて配置してなり、携帯電話機２５が撮影モード以外であって、上記回転体４の集音口１０が第一筐体１のスピーカー部７，８側を向いていないとき、上記表示部６及び／又はスピーカー部７，８によって警告表示したり、警告音を放音させるようにする。【選択図】図１
2004258916.tif 000002
【特許請求の範囲】
【請求項１】
少なくとも表示部、操作部、及びスピーカー部を有する筐体に回転体を回転可能に軸支してなり、前記回転体内にはカメラ部とマイク部をそれぞれ備え、前記回転体表面に前記カメラ部の撮影窓と前記マイク部の集音口を略同じ方向に向けて配置した携帯端末装置であって、前記回転体の集音口が前記筐体に備えるスピーカー部の放音口と略同じ側にあるときを回転体の基本位置としたとき、当該回転体が基本位置にあるか否かを検出する位置検出部と、ユーザーに報知する報知部を備えると共に、前記カメラ部による撮影モード以外のときに前記回転体が基本位置にないことを前記位置検出部で検知したとき、前記報知部によってユーザーに報知するよう制御する制御部とを具備することを特徴とする携帯端末装置。
【請求項２】
前記筐体は、少なくとも表示部とスピーカー部を有する矩形状の第一筐体と、少なくとも操作部と回転体を有する矩形状の第二筐体とからなり、前記表示部の表示面と前記スピーカー部の放音口はそれぞれ第一筐体の前面に備えると共に、前記操作部の操作キーは第二筐体の前面に備え、前記両筐体は、閉状態にて第一筐体の背面と第二筐体の前面とが互いに対向するように重ね合わせて配置され、かつ開状態にて前記第二筐体の前面を外部に露出させることができるように連結され、前記第二筐体は前記第一筐体よりも大きく、前記閉状態のときに露出する部位に前記回転体を備えることを特徴とする請求項１に記載の携帯端末装置。
【請求項３】
両筐体は、閉状態にて重ね合わせ方向に沿う軸線を中心に回動することを特徴とする請求項２に記載の携帯端末装置。
【請求項４】
前記第二筐体は、前記第一筐体より長手方向に長く、閉状態のときに露出する部位が前記軸線と反対側に位置していることを特徴とする請求項２又は請求項３に記載の携帯端末装置。
【請求項５】
前記第一筐体には２つのスピーカー部を備え、一方のスピーカー部の放音口を前記軸線の近傍に配置すると共に、他方のスピーカー部の放音口を前記表示部を挟んで反対側に配置したことを特徴とする請求項２乃至請求項４のいずれかに記載の携帯端末装置。
【発明の詳細な説明】
【０００１】
【発明の属する技術分野】
本発明は、カメラを具備する携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
近年、携帯電話機やＰＤＡ（Ｐｅｒｓｏｎａｌ  Ｄｉｇｉｔａｌ  Ａｓｓｉｓｔａｎｔｓ）等の携帯端末装置は、携帯性を高めるために折り畳み機構を持ったものが普及しつつあり、さらに情報端末装置としての本来の機能に加え、付加的な機能を追加したものが種々提案されており、その一つにカメラ機能を備えたものがある。
【０００３】
図７（ａ）（ｂ）にカメラを具備した従来の携帯端末装置の一例を示すように、この携帯端末装置は携帯電話機３０に関するもので、表示部３６とスピーカー部３７を有する第一の筐体３１と、操作部３５とマイク部３４を有する第二の筐体３２とを有し、上記第一の筐体３１の表示部３６を有する前面３１ｂが上記第二の筐体３２の操作部３５を有する前面３２ａと同じ方向を向いた状態で第一の筐体３１を第二の筐体３２の前面３２ａに対してスライドさせることにより開閉可能に構成されている（特許文献１参照）。
【０００４】
また、上記第一の筐体３１によって第二の筐体３２の前面３２ａを閉じた状態において、第二の筐体３２より突出する第一の筐体３１の端部には回転体４０を回転可能に軸支してあり、この回転体４０内にはカメラ部（不図示）を内蔵するとともに、回転体４０表面にカメラ部の撮影窓４１を配置するようになっていた。
【０００５】
そして、第一の筐体３１によって第二の筐体３２の前面３２ａを閉じることで小型化して携帯性を高めるようになっており、また、第一の筐体３１をスライドさせて第二の筐体３２の前面３２ａを開き、第一の筐体３１のスピーカー部３７を使用者の耳元に近づけるとともに、第二の筐体３２のマイク部３４を使用者の口元に近づけることにより通話を行うことができるようになっていた。
【０００６】
また、カメラを内蔵する回転体４０は第二の筐体３２の前面３２ａを第一の筐体３１によって閉じた状態でも開いた状態でもカメラ部の撮影窓４１を被写体に向けることができるようになっており、撮影窓４１からカメラ部に取り込んだ画像を表示部３６に映し出し、所望の画像を撮影することができるようになっていた。
【０００７】
【特許文献１】特開２００２−１１１８３５号公報
【０００８】
【発明が解決しようとする課題】
ところで、近年、マルチメディア化に伴って静止画だけでなく、動画の撮影が行われるようになっており、携帯電話機やＰＤＡ（Ｐｅｒｓｏｎａｌ  Ｄｉｇｉｔａｌ  Ａｓｓｉｓｔａｎｔｓ）等の小型の携帯端末装置においても動画撮影できるものが要求されている。
【０００９】
しかしながら、動画を扱う場合、動画像とともに音声データの記録が必要となるのであるが、図７（ａ）（ｂ）に示す携帯電話機３０は表示部３６と反対側にある被写体を動画撮影する場合、マイク部３４が被写体と反対側を向いているため、被写体側の音声を集音し難く、再生時には音声が聞き取り難かったり、聞こえないといった課題があった。
【００１０】
また、マルチメディア化に伴って取り込んだ画像を楽しむためにはより大きな表示部３６が必要となるのであるが、図７に示す携帯電話機３０のように表示部３６を有する第一の筐体３１側にカメラ部を具備した回転体４０を配置したものでは、大画面の表示部３６を用いることが難しく、また、無理に大画面の表示部３６を用いると、第一の筐体３１を大きくしなければならないため、携帯電話機３０が大型化し、携帯性が損なわれるといった課題があった。
【００１１】
さらに、図７（ａ）（ｂ）に示す携帯電話機３０を用いて撮影を行う場合、第一の筐体３１のスライド方向を上下にして第ニの筐体３２を片手で持ち、表示部３６に映し出される映像を見ながら被写体を決め、予め割り当ててある操作部３５のキーを押下することで撮影するようになっており、片手での操作が可能であるが、片手で操作すると操作キーの押下時に手振れが発生し易く、被写体が撮影範囲からずれて撮影されたり、ピントがずれてしまうといった恐れもあった。
【００１２】
【課題を解決するための手段】
そこで、上記課題に鑑み、請求項１に係る発明は、少なくとも表示部、操作部、及びスピーカー部を有する筐体に回転体を回転可能に軸支してなり、前記回転体内にはカメラ部とマイク部をそれぞれ備え、前記回転体表面に前記カメラ部の撮影窓と前記マイク部の集音口を略同じ方向に向けて配置した携帯端末装置であって、前記回転体の集音口が前記筐体に備えるスピーカー部の放音口と略同じ側にあるときを回転体の基本位置としたとき、当該回転体が基本位置にあるか否かを検出する位置検出部と、ユーザーに報知する報知部を備えると共に、前記カメラ部による撮影モード以外のときに前記回転体が基本位置にないことを前記位置検出部で検知したとき、前記報知部によってユーザーに報知するよう制御する制御部を設けたことを特徴とする。
【００１３】
請求項２に係る発明は、請求項１に記載の携帯端末装置において、前記筐体を、少なくとも表示部とスピーカー部を有する矩形状の第一筐体と、少なくとも操作部と回転体を有する矩形状の第二筐体とから構成し、前記表示部の表示面と前記スピーカー部の放音口をそれぞれ第一筐体の前面に配置すると共に、前記操作部の操作キーを第二筐体の前面に配置し、前記両筐体は、閉状態にて第一筐体の背面と第二筐体の前面とが互いに対向するように重ね合わせて配置され、かつ開状態にて前記第二筐体の前面を外部に露出させるように連結してなり、前記第二筐体は前記第一筐体よりも大きく、前記閉状態のときに露出する部位に前記回転体を設けたことを特徴とする。
【００１４】
請求項４に係る発明は、請求項２又は請求項３に記載の携帯端末装置において、前記第二筐体を、前記第一筐体より長手方向に長くなるように形成し、閉状態のときに露出する部位が前記軸線と反対側に位置するようにしたことを特徴とする。
【００１５】
請求項５に係る発明は、請求項２乃至請求項４のいずれかに記載の携帯端末装置において、前記第一筐体に２つのスピーカー部を設け、一方のスピーカー部の放音口は前記軸線の近傍に配置すると共に、他方のスピーカー部の放音口は前記表示部を挟んで反対側に配置したことを特徴とする。
【００１６】
【発明の実施の形態】
以下、本発明の実施形態について説明する。
【００１７】
図１は本発明の携帯端末装置の一例である携帯電話機を示す図で、同図（ａ）は閉じた状態を示す平面図、同図（ｂ）は開いた状態を示す平面図である。
【００１８】
この携帯電話機２５は、矩形状をした第一筐体１と第二筐体２とからなり、第二筐体２は第一筐体１よりも長手方向に長くなるように形成されている。
【００１９】
第一筐体１の前面１ａには液晶表示装置等の表示部６と、この表示部６を挟んで上下に配置された二つのスピーカー部７，８を備えると共に、第二筐体２の第一の筐体１と対向する前面２ａには複数の操作キーからなる操作部５を備えている。なお、表示部６の表示面、二つのスピーカー部７，８の放音口はそれぞれ第一筐体１の前面１ａに露出している。
【００２０】
また、両筐体１，２は、第一筐体１の背面（前面２ａと反対側の面）と第二筐体２の前面２ａとが対向するように重ね合わせた状態において一方の端部を連結部３によって連結し、重ね合わせ方向に沿う連結部３の軸線を中心に回動可能に構成してある。そして、両筐体１，２が重ね合わされた状態（第一筐体１と第二筐体２とのなす角度βが０°の時）を閉じた状態（図１（ａ））とし、第一筐体１が第二筐体２の前面２ａに備える操作部５を覆うようになっており、また、閉じた状態から第一筐体１が第二筐体２に対して１８０°回動した状態（第一筐体１と第二筐体２とのなす角度βが１８０°の時）を開いた状態（図１（ｂ））とし、第二筐体２の前面２ａに備える操作部５が外部に露出するようになっている。
【００２１】
なお、本実施形態では、第一筐体１の背面と第二筐体２の前面２ａとが対向するように重ね合わせて配置され、連結部３により重ね合わせ方向に沿う軸線を中心に回動させることで開閉可能に構成した例を示したが、本発明における開閉機構は、図１に示すものだけに限定されず、例えば、図７に示す従来例の携帯電話機３０のように、第一筐体１が第二筐体２の前面２ａに対してスライドするように構成したものや、第一筐体１を第二筐体２の前面２ａに対してボールヒンジを介して連結するように構成したものなど、両筐体１，２が、閉状態にて第一筐体１の背面と第二筐体２の前面とが互いに対向するように重ね合わせて配置され、かつ開状態にて第二筐体２の前面２ａを外部に露出させることができるように連結する構造を有するものであれば構わない。
【００２２】
また、前述したように、第二筐体２は第一筐体１よりも長く、両筐体１，２を閉じたときには、第二筐体２の連結部３と反対側の端部２ｄが第一筐体１よりも突出するように構成してあり、閉状態にて露出する第二筐体２の端部２ｄに、１８０°の範囲で回転可能に軸支された回転体４を備えている。
【００２３】
図２（ａ）（ｂ）に示すように、回転体４は円筒状体４ｂをなし、この円筒状体４ｂの両端よりそれぞれ突出する円筒軸４ｃ，４ｃが第二筐体２の端部２ｄに形成された凹部２ｃの内側面に開口する穴に嵌入されることにより軸支され、この円筒軸４ｃ，４ｃの軸線を中心に回転体４を凹部２ｃ内で１８０°の範囲で回動させることができるようになっている。
【００２４】
また、円筒状体４ｂの内部にはマイク部９とカメラ部１１をそれぞれ内蔵してあり、上記マイク部９の集音口１０とカメラ部１１の撮影窓１２をそれぞれ回転体４の同一面４ａに形成し、同じ方向を向くように配置してある。
【００２５】
さらに、第二筐体２の端部２ｄ内には回転体４の回転位置を検出する位置検出部２６を設けてあり、この位置検出部６は、一方の円筒軸４ｃに形成された目盛りと、コ字状をした光センサー２６とからなり、光センサー２６を目盛り上に位置するように配置し、円筒軸４ｃ上の目盛りを検知することにより回転体４の位置を検出するようになっており、図１（ａ）（ｂ）のように、回転体４の集音口１０が第一筐体１のスピーカー部７，８と略同じ方向を向いている状態を回転体４の基本位置としてある。
【００２６】
そして、撮影モード時には撮影窓１２よりカメラ部１１に取り込まれた画像が表示部６に表示されるようになっており、第二筐体２の側面に備えるサイドボタン２２を押下することにより撮影することができるようになっている。なお、１２ａは撮影窓１２内に備える撮影レンズである。
【００２７】
さらに、第二筐体２には出し入れ可能なアンテナ１３を収納してあり、連結部３近傍の端部より出し入れすることができるようになっている。また、２３は通話モード又は撮影モードに切り換えるための第二筐体２側面に備えるモード切り替えボタンである。
【００２８】
次に、図３に、図１に示す携帯電話機２５のブロック図を示す。第二筐体２内にはアンテナ１３と接続された送信部１４及び受信部１５、撮影モードか否かを検知するモード検出部２７、表示部６及び／又はスピーカー部７，８を用いて警告を行う報知制御部２８を有するとともに、制御部１６を備え、この制御部１６には、操作部５、表示部６、二つのスピーカー部７，８、マイク部９、カメラ部１１、送信部１４、受信部１５、位置検出部２６、モード検出部２７、報知制御部２８がそれぞれ接続されている。なお、１７は制御部１６に接続された記憶部、１８はバッテリー、２０は第一の検出部、２１は第二の検出部で、第一の検出部２０及び第二の検出部２１はそれぞれ第一筐体１の第二筐体２に対する開閉途中の状態を検知するようになっている。
【００２９】
即ち、図４に検出部の構造を示すように、円柱状をした連結部３の外周には二本の導体パターン２０ａ，２１ａを形成してあり、連結部３の回転により二つの導通端子２０ｂ，２１ｂが二本の導体パターン２０ａ，２１ａと接触／非接触となることでオン状態／オフ状態を検出するようになっている。
【００３０】
具体的には、表１に示すように、第一の検出部２０がオン状態、第二の検出部２１がオフ状態のときは第一筐体１が第二筐体２に対して閉じた状態（図１（ａ））にあり、第一検出部２０がオン状態、第二検出部２１がオン状態のときは第一筐体１が第二筐体２に対して９０°回動した状態にあり、第一の検出部２０がオフ状態、第二の検出部２１がオン状態のときは第一筐体１が第二筐体２に対して１８０°回動した開状態（図１（ｂ））にあり、第一の検出部２０がオフ状態、第二の検出部２１がオフ状態のときは第一筐体１が上記以外の状態にある。
【００３１】
【表１】
2004258916.tif 000003
【００３２】
なお、第一の検出部２０及び第二の検出部２１の状態と展開状態との関係は表１に示すパターンだけに限らず、適宜設定することができる。
【００３３】
次に、本発明の携帯電話機２５の動作について図５及び図６のフローチャート図を基に説明する。
【００３４】
図５に示すように、両筐体１，２が閉状態（図１（ａ））又は開状態（図１（ｂ））であって、第二筐体２に備えるモード切り換えボタン２３を押下して静止画の撮影モード又は動画の撮影モードに設定すると、回転体４の撮影窓１２よりカメラ部１１に取り込まれた画像を表示部６に映し出すことができるようになっており、回転体４を１８０°の範囲で回転させ、撮影窓１２を撮影したい被写体に向けることができるようになっている。そして、撮影したい被写体を捕えたらサイドボタン２２を押下することにより撮影することができるようになっている。
【００３５】
このように、本発明の携帯電話機２５によれば、カメラ部１１を内蔵した回転体４を回動させることにより被写体の位置に関係なく撮影したい画像を撮影することができる。
【００３６】
また、回転体４内にはカメラ部１１と共にマイク部９を内蔵し、マイク部９の集音口１０をカメラ部１１の撮影窓１２と同じ方向を向くように同一面４ａに設けてあることから、動画撮影を行う際、撮影したい被写体と共に、被写体側の音声を効率良く集音することができる。その為、従来の携帯電話機のように、再生時に音が聞き取り難かったり、聞こえなかったりすることを防止することができる。
【００３７】
一方、図５に示すように、撮影モード以外のモードであって、回転体４の集音口１０が第一筐体１の前面１ａ以外（スピーカー部７，８の放音口を有する面以外）の方向を向いていることを位置検出部２６で検知した場合、制御部１６は報知制御部２８を駆動させ、回転体４が基本位置にないことの注意を促す警告を表示部６に表示するか、あるいは回転体４が基本位置にないことの注意を促す警告音をスピーカー部７，８より報音させ、警告に気付いた使用者が回転体４を基本位置に戻すことで報知制御部２８を停止させ、警告表示や警告音を止めるようになっている。
【００３８】
即ち、本発明の携帯電話機２５は、マイク部９がカメラ部１１と共に回転体４に配置された構造であるため、通話を行う際にマイク部９の集音口１０が第一筐体１の前面１ａ以外（スピーカー部７，８の放音口を有する面以外）の方向を向いている場合があるものの、表示部６を報知部として用いて回転体４が基本位置にないことを警告表示したり、スピーカー部７，８を報知部として用いて警告音を放音して回転体４が基本位置にないことを使用者に知られることができる。その為、通話を行う時、マイク部９の集音口１０が常に使用者の口元を向くように注意を促すことができる。
【００３９】
また、本発明の携帯電話機２５は、撮影モード以外に通話モードを有し、第二筐体２に備えるモード切り換えボタン２３を押下することによりモードの設定変更を行うことができるようになっており、いずれのモードであるかはモード検出部２７にて検知するようになっている。
【００４０】
図６に示すように、着信を検知すると、２つのスピーカー部７，８を動作させて着信音を放音させる。この時、２つのスピーカー部７，８は表示部６を挟んで両側に配置されていることから両者の距離を離すことができるため、各々のスピーカー部７，８より独立した着信音を放音させることによりステレオ効果を持った着信音を出力することができる。
【００４１】
そして、通話を行うにはサイドボタン２２を押下することにより行うのであるが、この時、第一の検出部２０及び第二の検出部２１にて第一筐体１と第二筐体２の開閉状態を確認する。例えば、第一の検出部２０がオフ状態でかつ第二の検出部２１がオン状態である場合、携帯電話機２５は開いた状態（図１（ｂ））にあるため、表示部６に発呼者やその電話番号等の受信情報等を表示させると共に、マイク部９及びマイク部９より遠方（連結部３と反対側の端部）にあるスピーカー部８をそれぞれ動作させ、スピーカー部８を耳元に、集音口１０を口元にそれぞれ近づけることにより通話を行うことができるようになっている。なお、この時、連結部３近傍にあるスピーカー部７は不動作とし、また、表示部６の表示情報等はスピーカー部８側が「上」となるように表示させるようになっている。
【００４２】
また、通話を行うためにサイドボタン２２を押下した時、第一の検出部２０がオン状態でかつ第二の検出部２１がオフ状態である場合、携帯電話機２５は閉じた状態（図１（ａ））にあるため、表示部６に発呼者やその電話番号等の受信情報等を表示させるとともに、マイク部９及びマイク部９より遠方（連結部３近傍）にあるスピーカー部７をそれぞれ動作させ、スピーカー部７を耳元に、マイク部９がある側を口元側にそれぞれ近づけることにより通話を行うことができるようになっている。なお、この時、マイク部９近傍（連結部３と反対側の端部）にあるスピーカー部８は不動作とし、また、表示部６の表示情報等は上下を切り替えてスピーカー部７側が「上」となるように表示させるようになっている。
【００４３】
さらに、サイドボタン２２を押下した時、第一の検出部２０がオン状態でかつ第二の検出部２１がオン状態である場合又は第一の検出部２０がオフ状態でかつ第二の検出部２１がオフ状態である場合、いずれも第一の筐体１は第二の筐体２に対して開閉途中であるため、この時には着信があったことを２つのスピーカー部７，８より着信音を報知するだけで、表示部６は背景色、マイク部９は不動作とし、着信を受ける場合には、第一筐体１を閉じるか（図１（ａ））又は開く（図１（ａ））ことで上述のように通話を行うようになっている。
【００４４】
このように、本発明の携帯電話機２５によれば、第二筐体２に対する第一筐体１の開閉状態に関係なく表示部６を見ることができるため、着信があった場合、発呼者やその電話番号等の受信情報を表示部６を介して確認することができるとともに、そのまま通話モードに移行することができる。その為、発呼者を待たせるようなことがなく、また、迷惑電話であるような場合、強制的に通話を拒否することができる。しかも、着信に気付くのが遅れた時でも電話が切れる前に通話することができる確率を向上させることができるため、発呼者に不快感を与えることがなく、携帯電話機２５としての携帯性を十分に発揮することができる。
【００４５】
また、着信時には二つのスピーカー部７，８より別々の信号を送ることによりステレオ効果をもった着信音を発生させることができ、特に音楽を着信音として用いた場合、臨場感溢れる着信音を発生させることができる。
【００４６】
以上、本実施形態では携帯電話機２５を例にして説明したが、これだけに限らず、ＰＤＡ（Ｐｅｒｓｏｎａｌ  Ｄｉｇｉｔａｌ  Ａｓｓｉｓｔａｎｔｓ）等の携帯端末装置にも適用できることは言う迄もない。
【００４７】
また、本発明は上述した実施形態だけに限定されるものではなく、本発明の要旨を逸脱しない範囲で改良や変更したものにも適用できることは言う迄もない。
【００４８】
【発明の効果】
以上のように、本発明によれば、少なくとも表示部、操作部、及びスピーカー部を有する筐体に回転体を回転可能に軸支してなり、前記回転体内にはカメラ部とマイク部をそれぞれ備え、前記回転体表面に前記カメラ部の撮影窓と前記マイク部の集音口を略同じ方向に向けて配置した携帯端末装置であって、前記回転体の集音口が前記筐体に備えるスピーカー部の放音口と略同じ側にあるときを回転体の基本位置としたとき、当該回転体が基本位置にあるか否かを検出する位置検出部と、ユーザーに報知する報知部を備えると共に、前記カメラ部による撮影モード以外のときに前記回転体が基本位置にないことを前記位置検出部で検知したとき、前記報知部によってユーザーに報知するよう制御する制御部を設けたことによって、近年のマルチメディア化に対応して動画を撮影する場合、カメラ部の撮影窓と同じ向きにマイク部の集音口があるため、撮影したい動画像とともに音を正確に集音することができ、再生時における音の聞き取り難さを防止することができる。また、カメラ部とマイク部を回転体内に内蔵したことから、任意の方向にある被写体に対してカメラ部の撮影窓とマイク部の集音口を向けて撮影を行うことができる。
【００４９】
さらに、通話を行う際、マイク部の集音口が使用者の口元と異なる方向を向いていることを防止することができる。
【００５０】
また、表示部に発呼者等の受信情報等を表示することができるため、発呼者の特定を行うことができ、受信情報に応じて直ちに通話を行うことができる。その為、発呼者を待たせるようなことがなく、また、迷惑電話であるような場合、強制的に通話を拒否することができる。しかも、着信に気付くのが遅れた時でも電話が切れる前に通話することができる確率を向上させることができるため、発呼者に不快感を与えることがなく、携帯電話機としての携帯性を十分に発揮することができる。
【図面の簡単な説明】
【図１】本発明の携帯端末装置の一例である携帯電話機を示す図で、同図（ａ）は閉じた状態を示す平面図、同図（ｂ）は開いた状態を示す平面図である。
【図２】（ａ）は図１（ａ）のＸ−Ｘ線断面図、（ｂ）は図１（ａ）のＹ−Ｙ線断面図である。
【図３】図１の携帯電話機を示すブロック図である。
【図４】図１の携帯電話機における位置検出部の構造を示す部分拡大斜視図である。
【図５】図１の携帯電話機における報知システムを示すフローチャート図である。
【図６】図１の携帯電話機の着信時における動作を示すフローチャート図である。
【図７】従来の携帯電話機を示す図で、同図（ａ）は開いた状態を示す斜視図、同図（ｂ）は閉じた状態を示す斜視図である。
【符号の説明】
１：第一筐体  １ａ：前面  ２：第二筐体  ２ａ：前面  ３：連結部
４：回転体  ４ａ：回転体表面  ４ｂ：円筒状体  ４ｃ：円筒軸  ５：操作部
６：表示部  ７：スピーカー部  ８：スピーカー部  ９：マイク部
１０：集音口  １１：カメラ部  １２：撮影窓  １３：アンテナ  １４：送信部
１５：受信部  １６：制御部  １７：記憶部  １８：バッテリー
２０：第一の検出部  ２１：第二の検出部  ２２：サイドボタン
２３：モード切り替えボタン  ２５：携帯電話機  ２６：位置検出部
２７：モード検出部  ２８：報知制御部
【図１】
2004258916.tif 000004
【図２】
2004258916.tif 000005
【図３】
2004258916.tif 000006
【図４】
2004258916.tif 000007
【図５】
2004258916.tif 000008
【図６】
2004258916.tif 000009
【図７】
2004258916.tif 000010